(57)【特許請求の範囲】
【請求項１】
マストの頂部にクレーンが取付けられ、マスト下端には下部支持装置が設けられ、マストにはマストを昇降させる昇降装置が設けられたクライミングクレーンの使用方法であって、
前記クライミングクレーンを、
前記下部支持装置は、マストに取付けられた十字状ビームと、このビームの各先端に着脱可能に設けられた下部支持装置用延長ビームとからなり、前記昇降装置は、内部をマストが貫通し外形が四角で各辺に沿って支持ビームが伸縮しマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、
クライミングクレーンにより荷物を吊るときは、前記各支持ビームを伸ばして建屋の梁に押し当てることでクレーンのモーメントによるマストからの水平力を建屋に伝達するとともに、下部支持装置により垂直力とクレーンのモーメントによる水平力を建屋に伝達し、
クライミングクレーンを上昇させるときは、前記各支持ビームを伸ばし、該延長ビームを建屋の梁の上に載せることで、マストからの鉛直荷重を建屋に伝達する、ことを特徴とするクライミングクレーンの使用方法。
【請求項２】
マストの頂部にクレーンが取付けられ、マスト下端には下部支持装置が設けられ、マストにはマストを昇降させる昇降装置が設けられたクライミングクレーンの使用方法であって、
前記クライミングクレーンを、
前記下部支持装置は、マストに取付けられた十字状ビームと、このビームの各先端に着脱可能に設けられた下部支持装置用延長ビームとからなり、前記昇降装置は、内部をマストが貫通し外形が四角で各辺には垂直に支持ビームが取付けられ、この支持ビームの各先端には、第１延長ビームと、第１延長ビームより長い第２延長ビームとを選択的に着脱できる構造とし、さらにマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、
クライミングクレーンにより荷物を吊るときは、前記各支持ビームの先端に第１延長ビームを接続し、各第１延長ビームと建屋の梁との間にくさびを挿入して隙間を無くすことで、クレーンのモーメントによるマストからの水平力を建屋に伝達するとともに、下部支持装置により垂直力とクレーンのモーメントによる水平力を建屋に伝達し、
クライミングクレーンを上昇させるときは、前記各支持ビームの先端に第２延長ビームを接続し、該第２延長ビームを建屋の梁の上に載せることで、マストからの鉛直荷重を建屋に伝達する、ことを特徴とするクライミングクレーンの使用方法。
【請求項３】
マストの頂部にクレーンが取付けられ、マスト下端には下部支持装置が設けられ、マストにはマストを昇降させる昇降装置が設けられたクライミングクレーンの使用方法であって、
前記クライミングクレーンを、
前記下部支持装置は、マストに取付けられた十字状ビームと、このビームの各先端に着脱可能に設けられた下部支持装置用延長ビームとからなり、前記昇降装置は、内部をマストが貫通し外形が四角で各対角には対角線上に支持ビームが取付けられ、この支持ビームの各先端には延長ビームを着脱できる構造とし、さらにマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、
クライミングクレーンにより荷物を吊るときは、前記各支持ビームの先端に延長ビームを接続し、各延長ビームと建屋の柱との間にくさびを挿入して隙間を無くすことで、クレーンのモーメントによるマストからの水平力を建屋に伝達するとともに、下部支持装置により垂直力とクレーンのモーメントによる水平力を建屋に伝達し、
クライミングクレーンを上昇させるときは、前記各支持ビームの先端から延長ビームを取り外し、建屋の梁間に複数の補助ビームを架け渡し、この補助ビームの上に各支持ビームを載せることで、マストからの鉛直荷重を建屋に伝達する、ことを特徴とするクライミングクレーンの使用方法。
【請求項４】
前記下部支持装置に代えて、マストに取付けられた十字状ビームと、このビームの各先端にヒンジで結合された旋回ビームと、隣接する旋回ビームをピン接合し十字形状を保持する十字保持ビームと、を備える下部支持装置を設けたことを特徴とする請求項１ないし３のいずれかに記載のクライミングクレーンンの使用方法。
【請求項５】
前記下部支持装置に代えて、マストに取付けられた平行に配置された２本のビームと、このビームの各先端より伸縮自在に突出する延長ビームと、を備える下部支持装置を設けたことを特徴とする請求項１ないし３のいずれかに２記載のクライミングクレーンンの使用方法。
【請求項６】
前記下部支持装置に代えて、マストに取付けられた十字状ビームと、このビームの各先端より伸縮自在に突出する延長ビームと、を備える下部支持装置を設けたことを特徴とする請求項１ないし３のいずれかに記載のクライミングクレーンンの使用方法。
【請求項７】
前記下部支持装置に代えて、マストに取付けられた十字状ビームと、このビームの各先端に設けられ一端をピンで旋回可能に取付けられた２本の旋回ビームと、を備える下部支持装置を設けたことを特徴とする請求項１ないし３のいずれかに記載のクライミングクレーンンの使用方法。
【請求項８】
前記下部支持装置に代えて、マストに取付けられた十字状ビームと、このビームの各先端に配置され先端部のビームとほぼ直交し着脱可能に設けられた取付ビームと、を備える下部支持装置を設けたことを特徴とする請求項１ないし３のいずれかに記載のクライミングクレーンンの使用方法。
【発明の詳細な説明】
【０００１】
【発明の属する技術分野】
本発明は、建築中の建物に取付けられ建築の進行に合せ取付け位置を上層階に自身で盛り代えてゆくクライミングクレーンの使用方法に係わり、特に鉄筋コンクリート構造の建屋にも適用可能なクライミングクレーンの使用方法に関する。
【０００２】
【従来の技術】
低い建屋を建設する場合、地上にマストを支持する架台を固定したクレーンが用いられるが、高層建築の場合、建築の進行に合せ取付け位置を上層階に自身で盛り代えてゆくクライミングクレーンクレーンが使用される。従来高層建築には鉄骨構造が採用されており、クライミングクレーンは架台を鉄骨の梁にボルト等で強固に取付け、吊り荷による大きな曲げモーメントを支えている。
【０００３】
図１５は従来のクライミングクレーンの概略図である。クライミングクレーンは、マスト４０とこのマスト４０の下部に取付けられ、建屋と結合する架台４１と、中心をマスト４０が貫通しマスト４０に沿って昇降する昇降装置４３と、マスト４０の頂部に設けられたクレーン本体４２と、から構成される。クレーンに作用する力やモーメントは架台４１を通して建屋に伝達される。クレーンを上層階に盛り代えする場合は、昇降装置４３のビーム４４を建屋に取付けた後、架台４１と建屋とを切り離し、昇降装置４３でマスト４０を上昇させ、上層階の梁４７等の位置に架台４１がきたとき上昇を停止し、架台４１をこの梁４７等に乗せ固定する。しかる後に昇降装置４３のビーム４４と建屋との取付けを開放する。
【０００４】
図１６は建屋の鉄骨梁４７と架台４１との結合を示す断面図、図１７は建屋の鉄骨梁４７と架台４１との結合を示す平面図である。架台４１は十字状のビームからなり、その先端を建屋の鉄骨梁４７に乗せ、両者を接合位置で上下２枚の金物４５で挟み、この２枚の金物４５をボルト４６で締結する。かかる構造によりクレーンにかかる力と曲げモーメントを架台４１を介して鉄骨梁４７に伝達することができる。
【０００５】
【発明が解決しようとする課題】
従来鉄筋コンクリート構造は低層の建屋に用いられ、この建築用クレーンは地上に据付られていた。しかし最近鉄筋コンクリートの施工法が改良され、従来鉄骨で構成されていた高層建築にも鉄筋コンクリート構造が採用されるようになってきた。鉄骨建屋の場合、鉄骨の梁にクレーンの架台を取り付けるための補強工事は容易にできるが、鉄筋コンクリート構造の建屋の場合、このような補強ができない場合が多く、圧縮荷重には耐えられるが、引っ張りを伴う大きなモーメントには耐えられない場合が多い。また鉄筋コンクリートの建屋は住宅用として建設される場合が多く、間取りが小さいので架台や昇降装置を昇降させることが困難な場合が多い。
【０００６】
本発明は、上記した問題点を解決するために創案されたものである。すなわち、本発明の目的は、鉄筋コンクリートの建屋にも適用できるクライミングクレーンの使用方法を提供することにある。
【０００７】
【課題を解決するための手段】
上記目的を達成するため、請求項１の発明では、マストの頂部にクレーンが取付けられ、マスト下端には下部支持装置が設けられ、マストにはマストを昇降させる昇降装置が設けられたクライミングクレーンの使用方法であって、前記クライミングクレーンを、前記下部支持装置は、マストに取付けられた十字状ビームと、このビームの各先端に着脱可能に設けられた下部支持装置用延長ビームとからなり、前記昇降装置は、内部をマストが貫通し外形が四角で各辺に沿って支持ビームが伸縮しマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、クライミングクレーンにより荷物を吊るときは、前記各支持ビームを伸ばして建屋の梁に押し当てることでクレーンのモーメントによるマストからの水平力を建屋に伝達するとともに、下部支持装置により垂直力とクレーンのモーメントによる水平力を建屋に伝達し、クライミングクレーンを上昇させるときは、前記各支持ビームを伸ばし、該延長ビームを建屋の梁の上に載せることで、マストからの鉛直荷重を建屋に伝達する。
【０００８】
下部支持装置の延長ビームを建屋の梁に乗せ、固定して垂直力と水平力を建屋の梁に伝達するようにする。また、建屋の梁の位置で昇降装置のビーム支持枠より４本の支持ビームを伸ばして建屋の梁に押し当てマストからの水平力を建屋に伝達するようにする。これにより荷物を吊るときのモーメントは下部支持装置とビーム支持枠とで水平力として受け、垂直荷重は下部支持装置から建屋梁へ伝達するので、建屋にはモーメントによる引っ張り荷重はかからず、鉄筋コンクリート建屋にもクライミングクレーンを設置することができる。クレーンを上昇する場合は、ビーム支持枠の支持ビームを伸ばして先端を建屋の梁に乗せ固定した後、下部支持装置を建屋の梁から取り外し、下部支持装置用延長ビームを取り外して寸法を小さくした後、昇降装置によりマストを上昇させ、下部支持装置が予定した梁の位置まで上昇したとき停止し、下部支持装置用延長ビームを取り付けて梁の上に乗せ固定する。次にビーム支持枠の支持ビームと梁との固定を開放し、支持ビームを収縮し、昇降装置を上昇して予定の梁の位置で停止し、ビーム支持枠より支持ビームを伸ばして梁に押し当てる。これにより荷物を吊る状態になる。なお、クレーンを上昇する場合のモーメントは小さく支持ビームと梁とを固定する程度で十分耐えることができる。
【０００９】
請求項２の発明によれば、マストの頂部にクレーンが取付けられ、マスト下端には下部支持装置が設けられ、マストにはマストを昇降させる昇降装置が設けられたクライミングクレーンの使用方法であって、前記クライミングクレーンを、前記下部支持装置は、マストに取付けられた十字状ビームと、このビームの各先端に着脱可能に設けられた下部支持装置用延長ビームとからなり、前記昇降装置は、内部をマストが貫通し外形が四角で各辺には垂直に支持ビームが取付けられ、この支持ビームの各先端には、第１延長ビームと、第１延長ビームより長い第２延長ビームとを選択的に着脱できる構造とし、さらにマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、クライミングクレーンにより荷物を吊るときは、前記各支持ビームの先端に第１延長ビームを接続し、各第１延長ビームと建屋の梁との間にくさびを挿入して隙間を無くすことで、クレーンのモーメントによるマストからの水平力を建屋に伝達するとともに、下部支持装置により垂直力とクレーンのモーメントによる水平力を建屋に伝達し、クライミングクレーンを上昇させるときは、前記各支持ビームの先端に第２延長ビームを接続し、該第２延長ビームを建屋の梁の上に載せることで、マストからの鉛直荷重を建屋に伝達する。
【００１０】
下部支持装置の延長ビームを建屋の梁に乗せ、固定して垂直力と水平力を建屋の梁に伝達するようにする。また、建屋の梁の位置で昇降装置のビーム支持枠の４本の支持ビームに第１延長ビームを接続し建屋の梁に押し当てマストからの水平力を建屋に伝達するようにする。梁と延長ビームとの間に隙間があるときはくさび等を入れ隙間を無くすようにする。これにより荷物を吊るときのモーメントは下部支持装置とビーム支持枠とで水平力として受け、垂直荷重は下部支持装置から建屋梁へ伝達するので、建屋にはモーメントによる引っ張り荷重はかからず、鉄筋コンクリート建屋にもクライミングクレーンを設置することができる。クレーンを上昇する場合は、ビーム支持枠の支持ビームに第２延長ビームを接続し先端を建屋の梁に乗せ固定した後、下部支持装置を建屋の梁から取り外し、その下部支持装置用延長ビームを取り外して寸法を小さくした後、昇降装置によりマストを上昇させ、下部支持装置が予定した梁の位置まで上昇したとき停止し、下部支持装置用延長ビームを取り付けて梁の上に乗せ固定する。次にビーム支持枠の支持ビームに接続された第２延長ビームと梁との固定を開放し、第２延長ビームを取り外し、昇降装置を上昇して予定の梁の位置で停止し、ビーム支持枠の支持ビームに第１延長ビームを取付け梁に押し当て、隙間のあるときはくさび等を入れて隙間を無くする。これにより荷物を吊る状態になる。なお、クレーンを上昇する場合のモーメントは小さく支持ビームに接続された延長ビームと梁とを固定する程度で十分耐えることができる。
【００１１】
請求項３の発明によれば、マストの頂部にクレーンが取付けられ、マスト下端には下部支持装置が設けられ、マストにはマストを昇降させる昇降装置が設けられたクライミングクレーンの使用方法であって、前記クライミングクレーンを、前記下部支持装置は、マストに取付けられた十字状ビームと、このビームの各先端に着脱可能に設けられた下部支持装置用延長ビームとからなり、前記昇降装置は、内部をマストが貫通し外形が四角で各対角には対角線上に支持ビームが取付けられ、この支持ビームの各先端には延長ビームを着脱できる構造とし、さらにマストにロッドを出し入れしてマストに自身を接続し切り離すビーム支持枠と、このビーム支持枠がマストに沿って上下するよう案内するビーム支持枠ガイドと、このビーム支持枠の上方に設けられマストに沿って昇降しマストにロッドを出し入れしてマストに自身を接続し切り離す昇降枠と、この昇降枠とビーム支持枠間に設けられ両者の間隔を伸縮させる昇降シリンダと、を備えた構成としておき、クライミングクレーンにより荷物を吊るときは、前記各支持ビームの先端に延長ビームを接続し、各延長ビームと建屋の柱との間にくさびを挿入して隙間を無くすことで、クレーンのモーメントによるマストからの水平力を建屋に伝達するとともに、下部支持装置により垂直力とクレーンのモーメントによる水平力を建屋に伝達し、クライミングクレーンを上昇させるときは、前記各支持ビームの先端から延長ビームを取り外し、建屋の梁間に複数の補助ビームを架け渡し、この補助ビームの上に各支持ビームを載せることで、マストからの鉛直荷重を建屋に伝達する。
【００１２】
下部支持装置の下部支持装置用延長ビームを建屋の梁に乗せ、固定して垂直力と水平力を建屋の梁に伝達するようにする。また、建屋の梁の位置で昇降装置のビーム支持枠の対角線上に設けられた４本の支持ビームに延長ビームを接続し建屋の柱に押し当てマストからの水平力を建屋に伝達するようにする。柱と延長ビームとの間に隙間があるときはくさび等を入れ隙間を無くすようにする。これにより荷物を吊るときのモーメントは下部支持装置とビーム支持枠とで水平力として受け、垂直荷重は下部支持装置から建屋梁へ伝達するので、建屋にはモーメントによる引っ張り荷重はかからず、鉄筋コンクリート建屋にもクライミングクレーンを設置することができる。クレーンを上昇する場合は、ビーム支持枠の支持ビームを建屋の梁に乗せた補助ビームの上に載せて固定した後、下部支持装置を建屋の梁から取り外し、下部支持装置用延長ビームを取り外して寸法を小さくした後、昇降装置によりマストを上昇させ、下部支持装置が予定した梁の位置まで上昇したとき停止し、下部支持装置用延長ビームを取り付けて梁の上に乗せ固定する。次に補助ビームと梁との固定を開放し、補助ビームを取り外し、昇降装置を上昇して予定の高さの柱の位置で停止し、ビーム支持枠の支持ビームに延長ビームを取付け柱に押し当て、隙間のあるときはくさび等を入れて隙間を無くする。これにより荷物を吊る状態になる。なお、クレーンを上昇する場合のモーメントは小さく延長ビームと梁とを固定する程度で十分耐えることができる。
【００１３】
請求項４の発明によれば、前記下部支持装置に代えて、マストに取付けられた十字状ビームと、このビームの各先端にヒンジで結合された旋回ビームと、隣接する旋回ビームをピン接合し十字形状を保持する十字保持ビームと、を備える下部支持装置を設ける。
【００１４】
荷物を吊る状態では、旋回ビームを十字状ビームの延長線上に伸ばし、十字保持ビームで十字形とし、旋回ビームの先端を建屋の梁等に載せ固定する。クレーン上昇時、十字保持ビームを取り外し、旋回ビームを折りたたむことにより外形を小さくして、建屋の梁等に当たらないようにして上昇する。所定の梁等の上の位置まで上昇して停止し、旋回ビームを伸ばして十字保持ビームで十字形とし、この梁等の上に旋回ビームを乗せ、梁等と固定する。
【００１５】
請求項５の発明によれば、前記下部支持装置に代えて、マストに取付けられた平行に配置された２本のビームと、このビームの各先端より伸縮自在に突出する延長ビームと、を備える下部支持装置を設ける。
【００１６】
荷物を吊る状態では、延長ビームを伸ばし、延長ビームの先端を建屋の梁等に載せ固定する。クレーン上昇時、延長ビームを収縮し、外形を小さくして、建屋の梁等に当たらないようにして上昇する。所定の梁等の上の位置まで上昇して停止し、延長ビームを伸ばしてこの梁等の上に延長ビームを乗せ、梁等と固定する。
【００１７】
請求項６の発明によれば、前記下部支持装置に代えて、マストに取付けられた十字状ビームと、このビームの各先端より伸縮自在に突出する延長ビームと、を備える下部支持装置を設ける。
【００１８】
荷物を吊る状態では、延長ビームを伸ばし、延長ビームの先端を建屋の梁等に載せ固定する。クレーン上昇時、延長ビームを収縮して外形を小さくし、建屋の梁等に当たらないようにして上昇する。所定の梁等の上の位置まで上昇して停止し、延長ビームを伸ばしてこの梁の上に乗せ、梁等と固定する。
【００１９】
請求項７の発明によれば、前記下部支持装置に代えて、マストに取付けられた十字状ビームと、このビームの各先端に設けられ一端をピンで旋回可能に取付けられた２本の旋回ビームと、を備える下部支持装置を設ける。
【００２０】
荷物を吊る状態では、２本の旋回ビームを旋回し建屋の梁等を支える柱を囲むようにし、この梁等の上に旋回ビームを乗せ、梁等と固定する。これにより建屋の柱の近くに荷重を伝達できるので、大きな荷重を建屋に伝達することができる。クレーン上昇時、旋回ビームを折りたたむことにより外形を小さくして、建屋の梁等に当たらないようにして上昇する。所定の梁等の上の位置まで上昇して停止し、２本の旋回ビームを旋回し建屋の梁等を支える柱を囲むようにし、この梁等の上に旋回ビームを乗せ、梁等と固定する。
【００２１】
請求項８の発明によれば、前記下部支持装置に代えて、マストに取付けられた十字状ビームと、このビームの各先端に配置され先端部のビームとほぼ直交し着脱可能に設けられた取付ビームと、を備える。
【００２２】
荷物を吊る状態では、十字状ビームの各先端にこれとほぼ直交するように取付ビームを取付け、この取付ビームの両端を建屋の梁等に載せ固定する。クレーン上昇時、取付ビームを取り外して外形を小さくし、建屋の梁等に当たらないようにして上昇する。所定の梁等の上の位置まで上昇して停止し、取付ビームを取付け梁等と固定する。
【００２３】
【発明の実施の形態】
以下、本発明の好ましい実施形態を図面を参照して説明する。なお、各図において共通の部材には同一の符号を付し重複した説明を省略する。図１は本発明の方法で使用するクライミングクレーンの全体図を示す。クライミングクレーンは、トラス構造のマスト１と、マスト１の下部に取付けられ、建屋に取付けられる下部支持装置２と、マスト１の頂部に取付けられたクレーン本体３と、マスト１を貫通し、マスト１を昇降させる昇降装置４から構成されている。
【００２４】
次に第１実施形態を説明する。図２は昇降装置４を示し、（ａ）は側面図、（ｂ）は（ａ）のＡ−Ａ断面図、（ｃ）は（ａ）のＢ−Ｂ断面図、（ｄ）は（ａ）のＣ−Ｃ断面図とＤ−Ｄ断面図を示す。昇降装置４は、内部をマスト１が貫通するビーム支持枠５と、内部をマスト１が貫通しビーム支持枠５をマスト１に沿って昇降させるビーム支持枠ガイド８と、ビーム支持枠５の上部に設けられ内部をマスト１が貫通する昇降枠１１と、この昇降枠１１とビーム支持枠５とを結ぶ昇降シリンダ１３とから構成される。
【００２５】
ビーム支持枠５は、平面形状が四角形の箱状構造で中心にマスト１が貫通する開口があり、その周囲にビーム支持枠ガイド８が取付けられている。また、四角形の四周はシリンダになっており、各辺に沿って支持ビーム６が伸縮するようになっている。さらに図に示すようにマスト１用の開口の対向する２辺に第１ロックシリンダ７が対向して設けられ、ロッドをマスト１のトラスの水平部材の下部に挿入したときはマスト１を支持することができ、水平部材の上部に挿入したときは昇降装置４をマスト１で支持することができる。
【００２６】
ビーム支持枠ガイド８は、（ｄ）に示すように内部をマスト１が貫通する枠がビーム支持枠５を挟んで上下に設けられ、四隅に設けられた支柱１０によりビーム支持枠に結合されている。この枠にはマスト１の支柱に接するガイドローラ９が設けられ、ビーム支持枠５がマスト１に沿って昇降できるようにする。また、クレーン昇降時のモーメントをビーム支持枠５に伝達する働きもする。昇降枠１１は、（ｂ）に示すように、内部をマスト１が貫通する開口を有し、この開口周囲にガイドローラ９を設けている。またこの開口の対向する２辺に第２ロックシリンダ１２を対向して設け、ロッドをマスト１のトラスの水平部材の下部に挿入したときはマスト１を上昇することができ、水平部材の上部に挿入したときはビーム支持枠５を昇降することができる。
【００２７】
図３はビーム支持枠５の支持ビーム６を伸長して建屋の梁３０に押付け、マスト１を支持した図を示し、（ａ）は側面図、（ｂ）は平面図を示す。建屋の梁３０のレベルで支持ビーム６を伸長して梁３０に押付けることにより、ビーム支持枠５と梁３０を一体に結合することができ、クレーンのモーメントによる水平力を建屋に伝達することができる。
【００２８】
図４は下部支持装置４を示し、（ａ）は平面図、（ｂ）は側面図を示す。下部支持装置４はマスト１の下端に固定された十字状ビーム１４と、その各先端にボルトで接合される延長ビーム１５（下部支持装置用延長ビーム）とからなり、延長ビーム１５が建屋の梁３０の上に載り固定される。下部支持装置４は垂直力とモーメントによる水平力を建屋の梁３０に伝達する。なお、梁３０と延長ビーム１５との固定は水平力に耐えればよく、この水平力も垂直力による摩擦力にかなり相殺されるので、図１４に示すような強固な固定ではなく、簡単な固定でよい。
【００２９】
次に建築の進行にあわせて、クレーンを上層階に上昇させる場合を説明する。図５は上昇時の支持ビーム６と建屋の梁３０との関係を示し、（ａ）は側面図、（ｂ）は平面図を示す。クレーンを上昇する場合、昇降装置４を作動して支持ビーム６が梁３０の上面に乗る位置にし、支持ビーム６を伸長して先端を梁３０の上面に乗せ、固定する。クレーン昇降時のモーメントは小さいので、強固な固定でなくてよい。
【００３０】
次に図２を参照してマスト１の上昇について説明する。
▲１▼  ビーム支持枠５の第１ロックシリンダ７を収縮しマスト１の外側に引き込み、マスト１と縁を切り、昇降シリンダ１３を収縮して昇降枠１１の第２ロックシリンダ１２がマスト１の水平材の下にきたとき、第２ロックシリンダ１２を伸長してマスト１の中に挿入する。
▲２▼  図４に示す下部支持装置４の延長ビーム１５と梁３０との固定を開放した後、延長ビーム１５を十字状ビーム１４から取り外す。
▲３▼  昇降シリンダ１３を伸長しマスト１を上昇させ、第１ロックシリンダ７の位置にマスト１の水平材の下部がきたとき第１ロックシリンダ７を伸長してマスト１に挿入し、昇降シリンダ１３を少し下げてマスト１の荷重（クレーン重量）を第１ロックシリンダ７および支持ビーム６を介して建屋の梁３０に伝達する。
▲４▼  第２ロックシリンダ１２を収縮してマスト１と縁を切り、昇降シリンダ１３を収縮して昇降枠１１を下げ第２ロックシリンダ１２がマスト１の水平部材の下にきたとき、第２ロックシリンダ１２を伸長してマスト１内に挿入し、昇降シリンダ１３を少し上昇させ、マスト１の荷重を昇降枠１１で受けた後、第１ロックシリンダ７を引き抜く。
▲５▼  次に▲３▼〜▲４▼の動作を繰り返し、所定の高さマスト１を上昇させる。
【００３１】
▲６▼  下部支持装置４の十字状ビーム１４の下面が建屋の梁３０の上面より僅かに上になったとき、昇降シリンダ１３を停止し、延長ビーム１５を十字状ビーム１４に接合した後、昇降シリンダ１３を降下させ、延長ビーム１５が梁３０に乗ったとき昇降シリンダ１３を停止し、延長ビーム１５を梁３０に固定する。
▲７▼  次に第２ロックシリンダ１２を収縮した後、昇降シリンダ１３を伸長し第２ロックシリンダ１２の位置がマスト１の水平材の上部にきたとき停止し、第２ロックシリンダ１２を伸長し、昇降枠１１でビーム支持枠５を吊れる状態にする。この状態で、図５の状態における支持ビーム６と梁３０との固定を開放し、支持ビーム６を収縮した後、昇降シリンダ１３を収縮してビーム支持枠５を吊り上げ、第１ロックシリンダ７がマスト１の水平材の上に来た時昇降シリンダ１３を停止し、第１ロックシリンダ７を伸長し、昇降シリンダ１３を少し下げてビーム支持枠５の荷重を第１ロックシリンダ７で受けた後、第２ロックシリンダ１２を収縮する。
▲８▼  昇降シリンダ１３を伸長して昇降枠１１を上昇させ、第２ロックシリンダ１２がマスト１の水平材の上にきたとき停止して、第２ロックシリンダ１２を伸長してマスト１内に挿入し、昇降シリンダ１３を少し下げて昇降枠１１で荷重を受けた後、第１ロックシリンダ７を収縮して、昇降シリンダ１３を収縮しビーム支持枠を引き上げる。この動作を繰り返し、昇降装置４を上昇させる。
▲９▼  このようにしてビーム支持枠５を上昇させ、図３（ａ）に示す、梁３０の位置に支持ビーム６の位置がきたとき、昇降シリンダ１３を停止し、支持ビーム６を押し出して梁３０に押し当てる。これにより、荷物を吊れる状態になる。
【００３２】
次に、第２実施形態を説明する。本実施形態はビーム支持枠５の支持ビーム６の構成を簡易化したもので、他は第１実施形態と同じである。図６は、荷物を吊る状態での第２実施形態のビーム支持枠５を示し、（ａ）は側面図、（ｂ）は平面図である。ビーム支持枠５の四辺のそれぞれの中央に垂直に支持ビーム１６を取付け、この各先端に延長ビーム１７（第１延長ビーム）をボルトで着脱可能に接合する。延長ビーム１７と梁３０との間にくさび１８を挿入し、間隙を無くすようにしている。図７は、クレーン昇降時の第２実施形態のビーム支持枠５を示し、（ａ）は側面図、（ｂ）は平面図である。延長ビーム１７ａ（第２延長ビーム）は図６に示した延長ビーム１７より長いものを用いる。本実施形態の場合、延長ビーム１７，１７ａとくさび１８の取付け、取り外し作業が、チェンブロック等の工具を用いた手作業となるが、装置のコストやメンテナンス費用は低下する。
【００３３】
次に、第３実施形態を説明する。本実施形態もビーム支持枠５の支持ビーム６の構成を簡易化したもので、他は第１実施形態と同じである。図８は、荷物を吊る状態での第３実施形態のビーム支持枠５を示し、（ａ）は平面図、（ｂ）は（ａ）のＸ−Ｘ断面図である。ビーム支持枠５の四辺のそれぞれの対角線上に支持ビーム３６を取付け、この各先端に延長ビーム３７をボルトで着脱可能に接合する。延長ビーム３７の先端は図８に示すようにＶ字型に凹んでおり、柱の角に当たるようになっている。延長ビーム３７と柱３１との間にくさび３８を挿入し、間隙を無くすようにしている。図９は、クレーン昇降時の第３実施形態のビーム支持枠５を示し、（ａ）は側面図、（ｂ）は平面図である。延長ビーム３７ａ（補助ビーム）は図８に示した延長ビーム３７より長いものを用いる。本実施形態の場合も、延長ビーム３７，３７ａとくさび３８の取付け、取り外し作業が、チェンブロック等の工具を用いた手作業となるが、装置のコストやメンテナンス費用は低下する。
【００３４】
以下に示す実施形態は、図４に示した下部支持装置４の変形例を示す。
図１０は第４実施形態の下部支持装置を示し、（ａ）は平面図、（ｂ）は側面図である。マスト１の下端に十字状ビーム２０を取付け、このビーム２０の各先端にヒンジで旋回ビーム２１を接続する。隣接する旋回ビーム２１を十字保持ビーム２２で接合することにより、十字形状を保持し、クレーン取付け、撤去時、または昇降時には十字保持ビーム２２を外して、旋回ビーム２２を折り畳み、外形を小さくする。
【００３５】
図１１は第５実施形態の下部支持装置を示し、（ａ）は平面図、（ｂ）は側面図である。マスト１の下端に平行に２本のビーム２３を取付け、各ビームの両端には延長ビーム２４がシリンダ等により伸縮自在に取付けられている。クレーン取付け、撤去時、または昇降時には延長ビーム２４を収縮して、外形を小さくする。
【００３６】
図１２は第６実施形態の下部支持装置を示し、（ａ）は平面図、（ｂ）は側面図である。マスト１の下端に十字状ビーム２５を取付け、このビームの各先端には延長ビーム２６がシリンダ等により伸縮自在に取付けられている。クレーン取付け、撤去時、または昇降時には、延長ビーム２６を収縮して、外形を小さくする。
【００３７】
図１３は第７実施形態の下部支持装置を示し、（ａ）は平面図、（ｂ）は側面図である。マスト１の下端に十字状ビーム２７を取付け、このビームの各先端には２個の旋回ビーム２８がヒンジで取付けられている。図に示すように旋回ビーム２８を建屋の柱３１を挟んで配置することにより、垂直荷重を柱に有効に伝達することができる。クレーン取付け、撤去時、または昇降時には、旋回ビーム２８を折り畳み、外形を小さくする。
【００３８】
図１４は第８実施形態の下部支持装置を示し、（ａ）は平面図、（ｂ）は側面図である。マスト１の下端に十字状ビーム２９を取付け、このビームの各先端にはこれと直交するように取付ビーム２９ａを取付け、取付ビーム２９ａの両端が図に示すようにそれぞれ２本の梁３０に載るようにする。クレーン取付け、撤去時、または昇降時には、旋回ビーム２８を折り畳み、外形を小さくする。
【００３９】
【発明の効果】
上述したように、本発明のクライミングクレーンの使用方法は、曲げモーメントを下部支持装置と昇降装置で水平力として分散して受け、引張り力を発生しないため、鉄筋コンクリート構造の建屋等の曲げモーメントを支持しにくい建物にも、設置することができる。また下部支持構造と昇降装置のビームは全て伸縮または着脱可能になっているので、居住用建屋等の間取りの狭い鉄筋コンクリート建屋にも適用することができる。
【図面の簡単な説明】
【図１】  本発明の方法に使用するクライミングクレーンの全体図である。
【図２】  昇降装置の詳細図で、（ａ）は側面図、（ｂ）は（ａ）のＡ−Ａ矢視図、（ｃ）は（ａ）のＢ−Ｂ矢視図、（ｄ）は（ａ）のＣ−Ｃ矢視図とＤ−Ｄ矢視図である。
【図３】  荷重吊り上げ状態の第１実施形態のビーム支持枠で、（ａ）は側面図、（ｂ）は平面図である。
【図４】  第１実施形態のクレーンの下部支持装置を示し（ａ）は平面図、（ｂ）は側面図である。
【図５】  クレーン昇降状態の第１実施形態のビーム支持枠で、（ａ）は側面図、（ｂ）は平面図である。
【図６】  荷重吊り上げ状態の第２実施形態のビーム支持枠で、（ａ）は側面図、（ｂ）は平面図である。
【図７】  クレーン昇降状態の第２実施形態のビーム支持枠で、（ａ）は側面図、（ｂ）は平面図である。
【図８】  荷重吊り上げ状態の第３実施形態のビーム支持枠で、（ａ）は平面図、（ｂ）は（ａ）のＸ−Ｘ断面図である。
【図９】  クレーン昇降状態の第３実施形態のビーム支持枠で、（ａ）は側面図、（ｂ）は平面図である。
【図１０】  第４実施形態のクレーンの下部支持装置を示し（ａ）は平面図、（ｂ）は側面図である。
【図１１】  第５実施形態のクレーンの下部支持装置を示し（ａ）は平面図、（ｂ）は側面図である。
【図１２】  第６実施形態のクレーンの下部支持装置を示し（ａ）は平面図、（ｂ）は側面図である。
【図１３】  第７実施形態のクレーンの下部支持装置を示す平面図である。
【図１４】  第８実施形態のクレーンの下部支持装置を示し（ａ）は平面図、（ｂ）は側面図である。
【図１５】  従来のクライミングクレーンの構成を示す図である。
【図１６】  従来のクライミングクレーンの架台と鉄骨梁との取り合いを示す断面図である。
【図１７】  従来のクライミングクレーンの架台と鉄骨梁との取り合いを示す平面図である。
【符号の説明】
１  マスト
２  下部支持装置
３  クレーン本体
４  昇降装置
５  ビーム支持枠
６，１６，３６  支持ビーム
７  第１ロックシリンダ
８  ビーム支持枠ガイド
９  ガイドローラ
１０  支柱
１１  昇降枠
１２  第２ロックシリンダ
１３  昇降シリンダ
１４，２０，２５，２７，２９  十字状ビーム
１５，１７，１７ａ，２４，２６，３７，３７ａ  延長ビーム
１８，３８  くさび
２１，２８  旋回ビーム
２２  十字保持ビーム
２３  ビーム
２９ａ  取付ビーム
３０  梁
３１  柱
【図１】
0004247851.tif 000002
【図２】
0004247851.tif 000003
【図３】
0004247851.tif 000004
【図４】
0004247851.tif 000005
【図５】
0004247851.tif 000006
【図６】
0004247851.tif 000007
【図７】
0004247851.tif 000008
【図８】
0004247851.tif 000009
【図９】
0004247851.tif 000010
【図１０】
0004247851.tif 000011
【図１１】
0004247851.tif 000012
【図１２】
0004247851.tif 000013
【図１３】
0004247851.tif 000014
【図１４】
0004247851.tif 000015
【図１５】
0004247851.tif 000016
【図１６】
0004247851.tif 000017
【図１７】
0004247851.tif 000018